(57)【要約】【課題】メモリカードの抜脱時におけるメモリカードの飛び出しを防止する。【解決手段】カードコネクタ１は、メモリカード７０が挿着されるとカードのカード側端子７１が本体側のコンタクト２０に接触してカードを保持するカード保持部材１０と、これに設けられカードの挿抜方向に摺動自在であり、カードの挿抜操作に応じて摺動してカード移動を案内するスライダ３０と、カード保持部材１０に設けられたカム部材６０及びこの移動を案内するハートカム溝４１を有して構成され、カードの押し込み操作によりカード側端子７１とコンタクト２０とが接触する接触状態位置及びカードがカード保持部材１０に対して挿抜可能な挿抜可能位置にスライダ３０を移動させるハートカム機構４０と、接触状態位置から挿抜可能位置側へ移動する方向へスライダ３０を付勢する付勢ばね６５とを有してなる。ハートカム溝４１の戻り溝は左右にジグザグの減速溝５３を備える。【選択図】  図１
2004178955.tif 000002
【特許請求の範囲】
【請求項１】
先端部にカード側端子を備えたカード部材を挿抜可能であり、先端部に本体側端子を有し、前記カード部材が挿着されると前記カード側端子が前記本体側端子に接触して前記本体側端子と前記カード部材とが電気的に接続された状態となって前記カード部材を保持するカード保持部材と、
前記カード保持部材に前記カード部材の挿抜方向に摺動自在に設けられ、前記カード部材の挿抜操作に応じて摺動して前記カード部材の移動を案内するスライダと、
前記スライダと前記カード保持部材との間に設けられ、前記カード部材の一回目の押し込み操作により前記カード側端子と前記本体側端子とが接触した状態で前記カード部材が前記カード保持部材に保持される接触状態位置に前記スライダを移動させるとともに、前記カード部材の二回目の押し込み操作により前記カード部材が前記カード保持部材に対して挿抜可能な状態で前記カード部材が前記カード保持部材に保持される挿抜可能位置に前記スライダを移動させるハートカム機構と、
前記スライダと前記カード保持部材との間に設けられ、前記接触状態位置から前記挿抜可能位置側へ移動する方向へ前記スライダを付勢する付勢手段とを有し、
前記ハートカム機構は、前記スライダ及び前記カード保持部材のいずれか一方に設けられたカム部材と、前記スライダ及び前記カード保持部材のいずれか他方に前記カム部材に対向して形成されて前記カム部材の移動を案内して前記スライダを前記接触状態位置及び前記挿抜可能位置に移動させるハートカム溝とを有して構成され、
前記ハートカム溝において前記カム部材を前記挿抜可能位置側に移動させる戻り溝は、前記ハートカム機構により前記スライダを前記接触状態位置から前記挿抜可能位置側に緩やかに移動させるにように、前記カード部材の挿抜方向に対して左右に傾く部分を有して形成された減速溝を備えて構成されていることを特徴とするカードコネクタ。
【請求項２】
前記減速溝は左右にジグザグ状に形成されていることを特徴とする請求項１に記載のカードコネクタ。
【請求項３】
前記減速溝は左右いずれかの方向に突出した円弧状に形成されていることを特徴とする請求項１に記載のカードコネクタ。
【発明の詳細な説明】
【０００１】
【発明の属する技術分野】
本発明は、カードコネクタに関し、さらに詳細には、カード部材を挿着するとき及びカード部材を抜脱するときにカード部材を押し込み操作するカードコネクタに関する。
【０００２】
【従来の技術】
最近のコンピュータ機器にはメモリー用として小型のメモリカードが使用され、このコンピュータ機器にはメモリカードを挿抜自在に保持するカードコネクタが搭載されているものがある（例えば特許文献１参照）。このカードコネクタは先端部にカード側端子を有したメモリカードを挿抜可能に構成され、メモリカードが挿着されるとカード側端子が先端部に配設された本体側端子に接触して本体側端子とメモリカードとが電気的に接続された状態となってメモリカードを保持するカード保持部材を有している。カード保持部材の右側端部にはメモリカードの挿抜操作とともにメモリカードの挿抜方向に摺動するスライダが設けられ、このスライダにはメモリカードをスライダに係止させる係止機構が設けられている。
【０００３】
また、カードコネクタには、メモリカードの挿抜操作が容易に行なわれるように、一度の押圧操作でカード側端子と本体側端子とが接触した状態でメモリカードがカード保持部材に保持される接触状態位置にロックし、また二度目の押圧操作でメモリカードがカード保持部材に対して挿抜可能な挿抜可能位置に位置決めするハートカム機構が設けられている。このハートカム機構は、スライダに設けられたカム部材と、カード保持部材上に形成されてカム部材に対向配置されてカム部材に突出して形成された突出片部の移動を案内するハートカム溝とを有して構成されている。スライダとカード保持部材との間には接触状態位置から挿抜可能位置側へ移動する方向へスライダを付勢する付勢ばねが設けられている。
【０００４】
【特許文献１】特開２００１−１８５２８６号公報（第４頁、第１図−第４図）
【０００５】
【発明が解決しようとする課題】
ここで、メモリカードがカードコネクタの接触状態位置にあるときにメモリカードを抜脱するためにメモリカードが押圧操作されると、付勢ばねがスライダを挿抜可能位置側へ付勢して、カム部材の突出片部がハートカム溝に沿って移動する。ここで、ハートカム溝のうち突出片部を挿抜可能位置側に移動させる戻り溝の延びる方向が付勢ばねの付勢方向と同一方向であるときには、スライダが挿抜可能位置側へ急激に移動し、その結果としてメモリカードがカードコネクタから勢いよく飛び出すとうい問題が生じる。
【０００６】
本発明はこのような問題に鑑みてなされたものであり、メモリカードをカードコネクタから抜脱するためメモリカードを押圧操作した場合において、メモリカードをカードコネクタから緩やかに抜脱方向に移動させるように構成されたカードコネクタを提供することを目的とする。
【０００７】
【課題を解決するための手段】
前記課題を解決するために本発明のカードコネクタは、先端部にカード側端子を備えたカード部材（例えば、実施形態におけるメモリカード７０）を挿抜可能であり、先端部に本体側端子（例えば、実施形態におけるコンタクト２０）を有し、カード部材が挿着されるとカード側端子が本体側端子に接触して本体側端子とカード部材とが電気的に接続された状態となってカード部材を保持するカード保持部材と、カード保持部材にカード部材の挿抜方向に摺動自在に設けられ、カード部材の挿抜操作に応じて摺動してカード部材の移動を案内するスライダと、スライダとカード保持部材との間に設けられ、カード部材の一回目の押し込み操作によりカード側端子と本体側端子とが接触した状態でカード部材がカード保持部材に保持される接触状態位置にスライダを移動させるとともに、カード部材の二回目の押し込み操作によりカード部材がカード保持部材に対して挿抜可能な状態でカード部材がカード保持部材に保持される挿抜可能位置にスライダを移動させるハートカム機構と、スライダとカード保持部材との間に設けられ、接触状態位置から挿抜可能位置側へ移動する方向へスライダを付勢する付勢手段（例えば、実施形態における圧縮ばね６５）とを有し、ハートカム機構は、スライダ及びカード保持部材のいずれか一方に設けられたカム部材と、スライダ及びカード保持部材のいずれか他方にカム部材に対向して形成されてカム部材の移動を案内してスライダを接触状態位置及び挿抜可能位置に移動させるハートカム溝とを有して構成され、ハートカム溝においてカム部材を挿抜可能位置側に移動させる戻り溝（例えば、実施形態における挿抜位置案内溝５０）は、ハートカム機構によりスライダを接触状態位置から挿抜可能位置側に緩やかに移動させるにように、カード部材の挿抜方向に対して左右に傾く部分を有して形成された減速溝を備えて構成される。
【０００８】
上記構成のカードコネクタによれば、カム部材を挿抜可能位置側に移動させる戻り溝がカード部材の挿抜方向に対して左右に傾く部分を有して形成された減速溝を備えて構成されることで、スライダが接触状態位置にあるときにカード部材が押圧操作されると、スライダは付勢手段により付勢されて接触状態位置から挿抜可能位置側へ移動するが、スライダの移動に伴ってカム部材は挿抜方向に対して左右に傾く部分を有してなる減速溝を通過する。このとき、カム部材は減速溝の左右に傾く部分に当接しながら摺動して減速溝を通過する。このため、カム部材の移動抵抗が大きくなってカム部材の移動速度を遅くする。その結果、スライダの移動速度が遅くなり、カード部材がカード保持部材から飛び出す事態を未然に防止することができる。
【０００９】
また、上記構成のカードコネクタにおいて、減速溝を左右にジグザグ状に形成してもよい。
【００１０】
上記構成のカードコネクタによれば、減速溝を左右にジグザグ状に形成することで、スライダが接触状態位置から挿抜可能位置側に付勢されると、カム部材は減速溝の左右に傾く部分に複数回に亙て当接する。このため、カム部材の移動抵抗がより大きくなってスライダの移動速度を確実に遅くすることができる。
【００１１】
また、上記構成のカードコネクタにおいて、減速溝を左右いずれかの方向に突出した円弧状に形成してもよい。
【００１２】
上記構成のカードコネクタによれば、減速溝を左右いずれかの方向に突出した円弧状に形成することで、スライダが接触状態位置から挿抜可能位置側に付勢されると、カム部材は減速溝の左右いずれかの側面に押圧当接しながら摺動する。このため、カム部材の移動抵抗がより大きくなってスライダの移動速度を確実に遅くすることができる。
【００１３】
【発明の実施の形態】
以下、本発明の好ましい実施の形態を図１から図４を使用して説明する。なお、図１に示すように、説明の便宜上、矢印が示す方向を前後、左右及び上下方向として以下説明する。先ず、本発明に係わるカードコネクタを説明する前にカードコネクタに挿着されるメモリカードについて概説する。
【００１４】
メモリカード７０は、図１に示すように、厚さが薄くて平板状であり、その先端下面には左右方向に所定の間隙を有して並べられた複数のカード側端子７１が配設されている。カード側端子７１はメモリカード７０内に内蔵された図示しないメモリ機構部に電気的に接続されて情報の読み書きが可能に構成されている。メモリカード７０の左側先端部の縁部には斜めに傾斜する傾斜部７３が形成され、この縁部の下面には先端側へ突出する突出部（図示せず）が形成されている。メモリカード７０の前後方向の略中央部の左側側部には凹部７５が形成されている。凹部７５の機能については後述する。
【００１５】
次に、本発明に係わるカードコネクタについて説明する。カードコネクタ１は平面視において略矩形状であり、メモリカード７０を先端側から挿抜自在に保持可能なカード保持部材１０を有している。カード保持部材１０は絶縁材料製であり、カード保持部材１０の左右方向の中間部には前後に延びる凹部１３が形成され、この凹部１３は前端から後端近傍位置まで延び、凹部１３の前端には前開口部１３ａが開口し、凹部１３の下面中央部には平面視において矩形状の底開口部１３ｂが開口している。凹部１３はメモリカード７０を収容可能な大きさに形成されている。
【００１６】
カード保持部材１０の後端部には左右方向に所定の間隙を有して配置された複数のコンタクト２０が取り付けられている。コンタクト２０はカード保持部材１０の後端側に左右方向に並んだ状態で複数形成された図示しないコンタクト挿入孔の下部に形成されたコンタクト保持溝（図示せず）に先端部が前側に向けられた状態で挿入され、後端部がコンタクト保持溝に圧入されてカード保持部材１０に取り付けられている。コンタクト保持溝に圧入保持されたコンタクト２０の先端部の頂部は、無負荷状態において凹部１３内に延びている。コンタクト２０は、例えば、導電性金属材料の薄板を曲げ加工して一体成形される。
【００１７】
このようにカード保持部材１０に取り付けられた複数のコンタクト２０は、左右方向のピッチがメモリカード７０のカード側端子７１のピッチと略同一ピッチになるように配設されている。このため、メモリカード７０のカード側端子７１を下方に向けた状態でメモリカード７０を凹部１３に挿着すれば、複数のカード側端子７１がそれぞれに対応するコンタクト２０に接触する。
【００１８】
さて、このように配設されたコンタクト２０を有したカード保持部材１０の左側端部には、凹部１３に並んで前後に延びる本体側段部１１が形成されている。この本体側段部１１上には前後方向に摺動自在なスライダ３０が載置されている。スライダ３０は、図２に示すように、前後方向に延び、後端部に凹部１３側に突出して前側に斜めに傾斜する傾斜面３１ａを形成した張出部３１を有し、張出部３１の下部にはメモリカード７０の図示しない突出部と当接する突き当て面部（図示せず）が形成されている。スライダ３０の傾斜面３１ａはメモリカード７０の傾斜部７３と当接してメモリカード７０の左右方向の位置決めをし、スライダ３０の突き当て面部はメモリカード７０の図示しない突出部と当接してスライダ３０に対するメモリカード７０の前後方向の位置決めをする。
【００１９】
スライダ３０の張出部３１には前後に延びる係止部材３５が設けられている。係止部材３５は基端部が張出部３１の上面に形成された係合溝３２に嵌合して取り付けられ、先端部にはカード保持部材１０の凹部１３側へ突出した係合凸部３６が形成されている。この係合凸部３６は、スライダ３０にメモリカード７０が突き当てられた状態になると、メモリカード７０の凹部７５に係合して、メモリカード７０がスライダ３０に係止される。このため、メモリカード７０がスライダ３０に係止された状態になると、メモリカード７０の押圧操作に応じてスライダ３０がメモリカード７０とともに移動することになる。
【００２０】
スライダ３０の中央部から前側（図２の右側）にはスライダ３０の後端部（張出部３１）の上面よりも下方へ下がった段部３３が形成されている。この段部３３の上面は平面状に形成され、この上面の前側には前後方向に延びるハートカム機構４０の一部を構成するハートカム溝４１が形成されている。ハートカム溝４１の上方にはハートカム機構４０の残りの部分を構成するカム部材６０がハートカム溝４１に対向して配置されている。カム部材６０は弾性変形が可能な棒状部材であり、その基端部はハートカム溝４１よりも前側のカード保持部材１０の左側端部に左右方向に揺動自在に嵌合して取り付けられ、先端側はハートカム溝４１に対向してスライダ３０の後端側へ延び、先端部には下方へ突出してハートカム溝４１に係合する突出片部６１が形成されている。このため、スライダ３０がメモリカード７０の挿抜方向（前後方向）に摺動すると、突出片部６１がハートカム溝４１内に沿って移動することになる。
【００２１】
ハートカム溝４１は、メモリカード７０がスライダ３０に係止された状態において、図１に示すカード側端子７１とコンタクト２０とが接触した状態でメモリカード７０をカード保持部材１０に収容保持させる接触状態位置及びメモリカード７０をカード保持部材１０に対して挿抜可能な挿抜可能位置にスライダ３０を位置決めするように形成されている。
【００２２】
更に詳細には、ハートカム溝４１は、図３（ａ）に示すように、前後方向に延びて図１に示すメモリカード７０を接触状態位置に移動させる接触位置案内溝４３と、接触位置案内溝４３の前端側（図３の右側）に繋がって接触位置案内溝４３と並んで後端側に延び接触位置案内溝４３の後端側で合流して図１に示すメモリカード７０を挿抜可能位置に移動させる挿抜位置案内溝５０とを有して構成されている。ここで、図３（ａ）はハートカム溝４１の平面図を示す。図３（ｂ）は同図（ａ）のＩＩＩａ−ＩＩＩａ矢視に相当する部分の断面図を示し、図（ｃ）は同図（ａ）のＩＩＩｂ−ＩＩＩｂ矢視に相当する部分の断面図を示し、図（ｄ）は同図（ａ）のＩＩＩｃ−ＩＩＩｃ矢視に相当する部分の断面図を示す。なお、図３（ｂ）、図３（ｃ）及び図３（ｄ）のそれぞれの縦軸ｙは段部３３の上面から下方へ延びる溝の深さを表している。
【００２３】
接触位置案内溝４３は直線状に延びる直線溝部４４と直線溝部４４の前側端部から斜め後方側へ延びる折り返し溝部４５とを有して構成されている。直線溝部４４は、図３（ｂ）を更に追加して説明すると、直線溝部４４の後端側の位置Ａとこれより前側の位置Ｂまでは同一深さの平らな面が形成され、位置Ｂとこれより前側の位置Ｃまでは上方へ傾斜する傾斜面が形成されている。このため、この部分（位置Ｂ〜位置Ｃまでの部分）の溝の深さは点Ｃ側に進むに従って漸次浅くなる。位置Ｃとこれより前側の位置Ｄまでは位置Ｃと同一深さを有した平らな面が形成され、位置Ｄとこれよりも前側の前端部の位置Ｅまでは段部を形成し、この部分の溝の深さは位置Ｃのそれよりも深くなっている。また、図３（ａ）及び図３（ｃ）に示すように、位置Ｅから斜め後方側へ延びる折り返し溝部４５は、位置Ｅとこれよりも斜め後方の位置Ｆまでは位置Ｅと同一深さの同一面であり、位置Ｅから位置Ｆは段部を形成して、この部分の溝の深さは位置Ｄのそれよりも深くなっている。位置Ｆとこれよりも斜め後方の位置Ｇまでは位置Ｆと同一深さの同一面であり、位置Ｆから位置Ｇは段部を形成して、この部分の溝の深さは位置Ｅのそれよりも深くなっている。
【００２４】
なお、ハートカム溝４１の位置Ｇは、この位置Ｇに図２に示すカム部材６０の突出片部６１が移動すると、図１に示すメモリカード７０のカード側端子７１とカード保持部材１０のコンタクト２０とが接触した状態でメモリカード７０がカード保持部材１０に保持される接触状態位置にスライダ３０を移動させるように構成されている。ここで、図１に示すように、本体側段部１１の後端部には圧縮ばね６５が前後に延びた状態で取り付けられ、この圧縮ばね６５は図３（ａ）に示す突出片部６１がハートカム溝４１の位置Ａに移動したときに圧縮ばね６５の先端部がスライダ３０に形成されたばね挿着穴（図示せず）の後端部に当接するような長さを有している。このため、図２（ａ）に示す突出片部６１を図３（ａ）に示す位置Ａよりも位置Ｅ側に移動させると、即ち、スライダ３０を圧縮ばね６５側に移動させると、圧縮ばね６５が圧縮されてスライダ３０は圧縮ばね６５から付勢力を受けることになる。
【００２５】
このため、スライダ３０に係止されたメモリカード７０が押圧操作されると、スライダ３０は圧縮ばね６５の付勢力に抗してカード保持部材１０の後端側に移動し、これと同時に図３（ａ）に示す突出片部６１が直線溝部４４の位置Ａを通って位置Ｅに移動する。突出片部６１が位置Ｅに移動した状態でメモリカード７０の押圧操作を止めて解放状態にすると、圧縮ばね６５の付勢力によりスライダ３０が戻されて、図３（ａ）に示すように、突出片部６１が折り返し溝４５を通って位置Ｇに移動する。その結果として図１に示すメモリカード７０をカード保持部材１０に挿入した状態でメモリカード７０を押圧操作すれば、メモリカード７０を接触状態位置に移動させることができる。
【００２６】
一方、挿抜位置案内溝５０は、折り返し溝４５の後端部に繋がって斜め前側に延びる導入溝５１と、導入溝５１に繋がって後端側へ延びる先端側戻り溝５２と、先端側戻り溝５２につながって後方側へ延びて左右にジグザグに形成された減速溝５３と、減速溝５３に繋がって直線溝部４４の後端部に合流する後端側戻り溝５６とを有して構成されている。導入溝５１は、図３（ｃ）及び図３（ｄ）を更に追加して説明すると、位置Ｇから斜め前側の位置Ｈまでは同一深さであり、位置Ｈから斜め前側の位置Ｉまでは段部が形成され、この段部の深さは位置Ｇよりも深くなっている。位置Ｉから後端側へ延びる先端側戻り溝５２は位置Ｉと同一深さに形成されている。このため、突出片部６１が位置Ｇに移動した状態で図１に示すメモリカード７０が押圧操作されると、突出片部６１は導入溝５１を通って位置Ｉに移動する。ここで、図１に示すメモリカード７０の押圧操作を止めて解放させた状態にすると、図１に示す圧縮ばね６５の付勢力により図１に示すスライダ３０をカード保持部材１０の前側に付勢し、その結果として突出片部６１が先端側戻り溝５２を通って位置Ｊ側に移動し、メモリカード７０が抜脱側に移動することになる。
【００２７】
ここで、先端側戻り溝５２が後端側戻り溝５６まで直線的に延びている状態を想定した場合、突出片部６１が位置Ｇに移動した状態で図１に示すメモリカード７０の押圧操作を解放させた状態にすると、図１に示す圧縮ばね６５の付勢力により突出片部６１は先端側戻り溝５２及び後端側戻り溝５６を通って直線溝部４４の位置Ａに勢いよく移動する。即ち、図１に示すスライダ３０がカード保持部材１０の前側に急激に移動する。このため、スライダ３０に係止されたメモリカード７０がカード保持部材１０から飛び出すように移動することになる。
【００２８】
そこで、本発明に係わる図１に示すカードコネクタ１では、抜脱時にメモリカード７０がカード保持部材１０から飛び出すように移動しないように、挿抜位置案内溝５０に減速溝５３を有して形成されている。この減速溝５３は左右にジグザグ状に形成され、底面（位置Ｊから位置Ｋの間の部分）は後端側に進むに従って暫時浅くなるように形成されている。その結果、図１に示すスライダ３０が圧縮ばね６５により付勢されてカード保持部材１０の前側に移動すると、図３（ａ）に示す突出片部６１がジグザグ状の減速溝５３の周壁に当接して周壁面上を摺動する作動を繰り返しながら減速溝５３の後端側に移動する。このため、図１に示すスライダ３０の移動速度を減速させることができ、その結果として図１に示すスライダ３０に係止されたメモリカード７０がカード保持部材１０から飛び出すように移動する事態を未然に防止することができる。
【００２９】
なお、減速溝５３の底面は図３（ｄ）に示すように、後端側に進むに従って暫時浅くなっているので、図３（ａ）に示す突出片部６１の先端部が減速溝５３の底面上を後端側に摺動するときには、図１に示すカム部材６０の弾性変形量が暫時大きくなり、スライダ３０の移動抵抗をより大きくすることができ、その結果としてスライダ３０の移動速度をより減速させることができる。
【００３０】
また、図３（ａ）に示す減速溝５３は前述した形状に限るものではなく、図４に示すように構成されてもよい。即ち、減速溝５３は左右方向のいずれかの方向に円弧状に形成してもよい。このように減速溝５３を円弧状に形成することで、突出片部６１が減速溝５３を通過するときに突出片部６１が減速溝５３の周壁に押圧されて状態で摺動するため、突出片部６１の移動抵抗を大きくすることができ、前述した図３（ａ）に示すジグザグ状の減速溝５３と同様の効果を得ることができる。
【００３１】
また、前述した実施の形態では、図１に示すように、カム部材６０をカバー保持部材１０に設け、ハートカム溝４１をスライダ３０に形成したが、カム部材６０をスライダ３０に設け、ハートカム溝４１をカバー保持部材１０に形成するようにしてもよい。
【００３２】
【発明の効果】
本発明によるカードコネクタによれば、カム部材を挿抜可能位置側に移動させる戻り溝がカード部材の挿抜方向に対して左右に傾く部分を有して形成された減速溝を備えて構成されることで、スライダが接触状態位置にあるときにカード部材が押圧操作された場合、カム部材は減速溝の左右に傾く部分に当接しながら摺動して減速溝を通過するため、カム部材の移動抵抗が大きくなってカム部材の移動速度を遅くする。その結果、スライダの移動速度が遅くなり、カード部材がカード保持部材から飛び出す事態を未然に防止することができる。
【図面の簡単な説明】
【図１】
本発明の一実施の形態におけるカードコネクタのカード保持部材にメモリカードが挿入された状態のカード保持部材の平面図を示す。
【図２】
本発明の一実施の形態におけるカードコネクタのスライダをカード保持部材に位置決めするハートカム機構の平面図を示す。
【図３】
本発明の一実施の形態におけるカードコネクタのハートカム溝を示し、同図（ａ）はハートカム溝の平面図であり、同図（ｂ）は同図（ａ）のＩＩＩａ−ＩＩＩａ矢視に相当する部分の断面図を示し、図（ｃ）は同図（ａ）のＩＩＩｂ−ＩＩＩｂ矢視に相当する部分の断面図を示し、図（ｄ）は同図（ａ）のＩＩＩｃ−ＩＩＩｃ矢視に相当する部分の断面図を示す。
【図４】
本発明の一実施の形態におけるハートカム溝の平面図を示す。
【符号の説明】
１  カードコネクタ
１０  カード保持部材
２０  コンタクト（本体側端子）
３０  スライダ
４０  ハートカム機構
４１  ハートカム溝
５０  挿抜位置案内溝（戻り溝）
５３  減速溝
６０  カム部材
６５  圧縮ばね（付勢手段）
７０  メモリカード（カード部材）
７１  カード側端子
【図１】
2004178955.tif 000003
【図２】
2004178955.tif 000004
【図３】
2004178955.tif 000005
【図４】
2004178955.tif 000006